(57)【要約】【課題】  既製服を購入する場合、顧客は自らが小売店を訪ね、店員に採寸、身体にフィットしたものを選んでもら必要があり、顧客にも店側にも時間と労力がかかった。インターネットで購入したいが、サイズ情報は各国各様で、試着しないとフィットするかどうか不明で購入が進まない。オーダーメイドは自分用の型紙から作るので最もフィットするが、仮縫い手直しに、何度も店を訪ねる必要があり、型紙を作れるパタナーの人材難で、顧客も店側も、時間、労力がかかり、金額も高い。【解決手段】  ３Ｄボディスキャナーで採寸しクラウドにサイズ情報を格納。そのサイズ情報と、インターネット、店頭で販売する衣服のサイズ情報を照合して、試着しなくても身体にフィットした衣服を選べるようにする。また、クラウドのサイズ情報から、オーダーメイドの縫製に必要な情報を取得して、ソフトウエアで自動的に型紙を作り、時間、労力をかけずに、安くできるようにする。【選択図】図１
2018124946.tif 000002
【特許請求の範囲】
【請求項１】
３Ｄボディスキャナーを使って顧客の身体のサイズをデジタル情報としてクラウドに格納することで、顧客がインターネットまたは店頭で既製服を購入する場合に、クラウドにある自分のサイズ情報を使い、実際に試着しなくても自分の身体にフィットした衣服を購入できるビジネスモデル。
【請求項２】
顧客が、オーダーメイドの衣服をテイラーに注文する場合、好みのデザイン、オプションを指定、クラウドからのサイズ情報を送るだけで、熟練したパターナーを介さずにソフトウエアで型紙が自動的に作成され、時間と労力をかけることなくオーダーメイドを注文できるビジネスモデル。
【発明の詳細な説明】
【技術分野】
【０００１】  この発明は、３Ｄボディスキャナーで採寸したサイズ情報を使って、既製服は、インターネットでも店頭でも、サイズ情報の照合により試着なしでの購入を可能にし、オーダーメイドは、熟練パターナーが不要なソフトウエアによる型紙自動作成により、安く、フィットした衣服ができるビジネスモデルである。
【背景技術】
【０００２】顧客が衣服を購入する場合、従来は、主に次の二つの流れである。
（イ）  顧客がアパレル小売会社の店頭、またはインターネットで既製服を購入する場合、既製服に表示されたＳ、Ｍ、Ｌ、ＬＬ、Ｘ、ＸＸなど、各国、各社が固有に決めたサイズ情報で商品を選択するか、または、店員が顧客の身体のサイズを手作業で採寸し、そのサイズ情報で店員が商品を選択する。
（ロ）  顧客がオーダーメイドの衣服を注文する場合は、店員が顧客の身体のサイズを採寸し、そのサイズ情報を使ってパターナーが型紙を作り、その型紙で縫製会社が縫製する。
【発明の概要】
【発明が解決しようとする課題】
【０００３】従来のプロセスの流れでは、次のような欠点があった。
（イ）  顧客が既製服を選択する場合、各国、各社の定型的な表示では顧客にフィットするかどうか不明であるために、顧客は、店舗に行く都度、店員に頼んで自分のサイズを採寸して選んでもらうか、実際に試着をすることになり、時間と労力がかかる。
（ロ）  インターネットで既製服の購入の場合、試着できないのでフィットするかどうか判断できないので顧客の購入が進まない。これは、顧客にとっては不便、販売会社にとっては販売が伸びない。
（ハ）  インターネットで購入後にフィットしないことが判明した場合、返品が発生する。この対応には、顧客、販売会社共に労力と時間がかかる。
（ニ）  オーダーメイドの衣服には、採寸した顧客の身体のサイズ情報をもとにした型紙作りが必要になる。この型紙を作るには、経験を積んだパターナーが必要になる。熟練したぱたなーを育成確保するには、時間と費用がかかる。
本発明は、これらの欠点を解決するために、なされたものである。
【課題を解決するための手段】
【０００４】  ３Ｄボディスキャナーを使って、顧客の身体のサイズを１回のスキャニングで、スーツ、シャツ、ジーンズ、コートなど、現在および今後販売またはオーダーメイドで縫製する衣服に必要なサイズ情報（身長、首回り、肩幅、胸幅、胸回り、腰回り、へそ下、股下、ひざ下など）全てを取得する。そのデジタル化したサイズ情報をクラウドに顧客別に格納する。店舗またはインターネットで販売する既製服のサイズ情報は、単品ごとにバーコードにコード化し、そのバーコードは、店頭では衣服のタグに、インターネットでは衣服の隣に表示する。【０００５】  店舗またはインターネットで顧客が既製服を購入する場合、顧客はスマホ、タブレット、パソコンからアプリを起動し、クラウドにある自分のサイズ情報と、購入したい衣服のサイズ情報を照合し、試着することなく、店頭またはインターネットで自分の身体にフィットした既製服を選ぶことができる。【０００６】  顧客がオーダーメイドの衣服を作る場合、顧客がスマホ、タブレット、パソコンのアプリから注文すると、クラウドの自分のサイズ情報をもとに、ソフトウエアが自動的に型紙を作る。熟練したパターナーがいなくても身体にフィットした型紙を作ることができる。
【図面の簡単な説明】
【０００７】
【図１】図１は、本発明のビジネスモデルの全体図である。
【発明を実施するための形態】
【０００８】    以下、本発明の実施の形態を図１に基づいて説明する。
【０００９】  サイズ情報提供会社が、３Ｄボディスキャナーを、１採寸のために設営した店舗やアパレル会社の店舗、または、２スポーツジムに設置する。３自宅のパソコンに接続できる簡易型の３Ｄボディスキャナーも使うことができる。
【００１０】  顧客は、１から３のいずれかで自分の身体をスキャンすると、自分のサイズ情報が、４サーバーに蓄積される。このサーバーはサイズ情報提供会社のクラウドとして、衣服の販売、注文に関る、６インターネット通販会社、８小売会社、９レンタル会社、１０テイラーにサイズ情報を提供する。
【００１１】  顧客が、５スマートフォーン、タブレットまたはパソコンで、６通販会社、７小売会社、８レンタル会社のＷＥＢサイトで、７既製服をみつけたら、ＷＥＢの衣服のサイズチェックをクリックするとクラウドから自分のサイズ情報が取り込まれ、自分のサイズに合う衣服のサイズがＷＥＢに表示される。
【００１２】  顧客は、８小売会社または９レンタル会社の店舗では、５スマートフォーン、タブレットまたはパソコンで、４サイズ情報提供会社のアプリを立ち上げサイズチェックをクリックし、７既製服に付与されているバーコードを読み込むと、クラウドのサイズ情報と、バーコードにコード化された衣服のサイズ情報を照合し、自分の身体にフィットするかどうか表示される。
【００１３】  顧客が、オーダーメイドの衣服を注文するときは、５スマートフォン、タブレットまたはパソコンで、１０テイラーのＷＥＢサイトを検索し、デザイン、オプションを選択し、サイズをクリックすると、４クラウドから必要なサイズ情報が取り込まれ、１０テイラーにデザイン、オプション、サイズなどオーダーメイドに必要な情報が送られる。１０テイラーでは、その情報をもとに、４サイズ情報提供会社が提供するソフトウエアで自動的に型紙を含む縫製工場への指示書が作成される。その指示書を１１縫製工場に送る。１２オーダーメイドで縫製された衣服は、発注した顧客に直送される。
【符号の説明】
【００１４】１・・アパレル店舗に設置した３Ｄボディスキャナー
２・・スポーツジムに設置した３Ｄボディスキャナー
３・・自宅のパソコンに接続した簡易型３Ｄボディスキャナー
４・・サイズ情報提供会社のサーバー、クラウド
５・・スマートフォーン、タブレット、パソコンなどのオンライン端末
６・・アパレル・通販会社のＷＥＢサイト
７・・ＷＥＢまたは店舗で販売またはレンタルする既製服
９・・アパレル・レンタル会社の店舗、ＷＥＢサイト
１０・・オーダーメイド・テイラーの店舗、ＷＥＢサイト
１１・・アパレル縫製会社
１２・・オーダーメイドで縫製された衣服
【図１】
2018124946.tif 000003